(57)【要約】      （修正有）【課題】ネジ及びドライバーが、固定し易く、かつ強固に保持でき、しかもネジを目的物にねじ込み固定した後には、ネジからネジ保持治具がドライバーと共に容易に外れるネジ保持治具を提供する。【解決手段】弾性体から成る略丸棒状の本体１を有し、本体１は長手方向に、ドライバーを嵌合させる嵌合部２と、この嵌合部２に続くネジ保持部３の２つの部分から構成され、嵌合部２にはドライバー８の先端部が摺動自在な大きさの嵌合孔７を本体１の後端から略中央部まで設け、ネジ保持部３は本体１の略中央部から前端までの一側を本体の中心軸方向に直角な断面の略半分近くまで切欠し、当該中心軸方向の切欠面に、ネジ５の頭部及びネジの軸の各断面の半分以上を嵌め込む段付把持溝６を設け、当該段付把持溝６のネジ５の頭部を受け入れる部分は、上記嵌合孔７につながっており、ネジ保持部３の前端部には、ネジを挟持するための２つの挟持片４を相対して突設する構成とした。【選択図】図１
0003106285.tif 000002
【実用新案登録請求の範囲】
【請求項１】
ネジの頭部の＋又は−形の係合溝にドライバーの先端のドライバービットを挿入した状態で、ネジ及び当該ドライバーを保持するネジ保持治具において、弾性体から成る略丸棒状の本体を設け、この本体はドライバーを嵌合させる嵌合部とこの嵌合につづくネジ保持部とから構成されており、この嵌合部には、ドライバーの先端部が嵌合部の中心軸方向に摺動自在な大きさの嵌合孔を、本体の後端から略中央部まで中心軸方向に設け、ネジ保持部は本体の略中央部から前端までの一側を本体の中心軸方向に直角な断面の略半分近くまで切欠し、当該中心軸方向の切欠面に、ネジの頭部及びネジの軸の各断面の半分以上を嵌め込む段付把持溝を設け、当該段付把持溝のネジの頭部を受け入れる部分は、上記嵌合部の嵌合孔につながっており、ネジ保持部の前端部には上記段付把持溝の端面の両側から先端部でネジを挟持するための２つの挟持片を相対して突設したことを特徴とする、ネジ保持治具。
【請求項２】
ネジ保持部の中心軸方向の切欠面に、ネジの頭部及びネジの軸の各断面の半分より大きい部分を嵌め込む段付把持溝を設けたことを特徴とする、請求項1に記載のネジ保持治具。
【請求項３】
治具の前端に突設した２つ挟持片の、それぞれの挟み込むネジの軸に接する面に、ネジの軸の外形にあわせて凹部を設けたことを特徴とする、請求項1に記載のネジ保持治具。
【考案の詳細な説明】
【技術分野】
【０００１】
この考案はネジをネジ込みやすいようにドライバーの先端で仮留めしておくための治具に関するものである。
【背景技術】
【０００２】
一般に、ネジ締め工具としてのドライバーは、柄と、先端にドライバービットを有するドライバーの軸とからなり、ドライバービットの先端には、ネジ頭部に形成された＋形または−形の凹部から成る係合溝に係合する係合部を有する。しかし、この種のドライバーはネジの装着場所が狭い隙間の場所等で、両手が使えず、ネジを手で保持できない場合、ネジの装着作業が極めて困難となる。
そこで、従来はドライバービットを着磁し、ネジ締めの際に、ネジを予めドライバービットに吸着できるようにしたドライバーも提案されていた。
更に、ドライバーの軸に装着することで、ドライバーからネジの脱落を防止し、一方の手でネジを保持する必要なくして、片手でネジ締めをおこなうことのできるネジ保持具も提案されていた。
【特許文献１】実開平５−２０８７３号公報
【考案の開示】
【考案が解決しようとする課題】
【０００３】
しかし、着磁した従来のドライバーには次のような問題点があった。
第1に、ネジが非磁性体、例えば、黄銅、ステンレス、プラスチック等の素材で形成されている場合には使用ができないため、汎用性に劣るということ。第2に、ネジを単に磁力によって吸着するものであるため、保持が弱く不安定となり、途中でネジを落下させてしまったり、ネジの方向が定まらないなど、使い勝手に劣ることである。
また、上記の従来のネジ保持具では、当該保持具をドライバービットに固定して使用する必要があるため、ドライバービットに保持具をはめ込むための溝を設けたり、あるいは保持具の一部を弾性構造にする必要があり、その構造が複雑となっていた。また、ネジを保持具に装着するのに手間がかかり、さらにネジを一旦ネジ込んだ後、保持具をドライバーの軸からは外すのに手間がかかる、という欠点があった。
【０００４】
そこで、この考案はネジ及びドライバーが、固定し易く、かつ強固に保持でき、しかもネジを目的物にねじ込み固定した後には、ドライバーを傾けることによりネジからネジ保持治具がドライバーと共に容易に外れるネジ保持治具を提供することにより上記課題を解決するものである。
【課題を解決するための手段】
【０００５】
この考案は、弾性体から成る略丸棒状の本体を有し、本体は長手方向に、ドライバーを嵌合させる嵌合部と、この嵌合部に続くネジ保持部の２つの部分から構成され、嵌合部にはドライバーの先端部が嵌合部の中心軸方向に摺動自在な大きさの嵌合孔を本体の後端から略中央部まで設け、ネジ保持部は本体の略中央部から前端までの一側を本体の中心軸方向に直角な断面の略半分近くまで切欠し、当該中心軸方向の切欠面に、ネジの頭部及びネジの軸の各断面の半分以上を嵌め込む段付把持溝を設け、当該段付把持溝のネジの頭部を受け入れる部分は、上記嵌合部の嵌合孔につながっており、ネジ保持部の前端部には上記段付把持溝の端面の両側から、先端部でネジを挟持するための２つの挟持片を相対して突設する構成とした。また上記保持治具の構成に、ネジ保持部の中心軸方向の切欠面に設けた段付把持溝を、ネジの頭部及びネジの軸の各断面の半分より大きい部分を嵌め込める大きさとしてもよい。更に、上記保持具の構成に、当該治具の前端に突設した２つ挟持片の、それぞれの挟み込むネジの軸に接する面に、ネジの軸の外形にあわせて凹部を設けてもよい。
【考案の効果】
【０００６】
この考案によれば、当該治具のネジ保持部の長手方向の一側を切欠し、その中心軸方向の切欠面に断面略半円形の段付把持溝と前端部に２つの挟持片を突設し、この段付把持溝及び２つの挟持片の間に、溝の長手方向の一側の開口されている切欠面から、ネジを嵌め込むことによってネジを挟持する構成としたため、ネジを簡単にかつ、しっかりと挟持することができ、またネジから治具を取り外す際には、治具のネジ保持部の前記構成により、治具の嵌合部に差し込まれているドライバーの柄を作業者が片手で斜めに傾けるようにすれば簡単にドライバーと一緒に治具もネジから取り外すことができる。また治具の嵌合部の構成によって、ドライバーと治具が緩く嵌合するようにしたため、ネジから治具を取り外す際に、ドライバーの軸と治具とを固定する手段を講じなくても、ドライバーと一緒に保持具も取り外されることになり、むやみに治具が落下せず治具がなくならないため、再度の使用も容易であり、狭い場所・隙間の中でネジ締めを行う際等に便宜である。更に、保持具の構造を単純化することにより弾性合成樹脂等で一体に成型しやすくなり、安価に製造できることとなる。
【考案を実施するための最良の形態】
【０００７】
狭い場所や作業しにくい場所でのネジ締め作業を容易にするという目的を、当該保持具のネジ保持部の長手方向の一側を切欠し、その中心軸方向の切欠面に断面略半円形の段付把持溝を設け、保持具の前端部に２つ挟持片を突設し、この段付把持溝及び２つの挟持片の間に、ネジ保持部の長手方向の一側の開口された切欠面から、ネジを嵌め込むことによってネジを把持する構成を有するネジ保持治具を提供することにより、達成したものである。
【実施例１】
【０００８】
図1〜8において、ネジ保持治具として、弾性合成樹脂を一体成型して成る略丸棒状の本体１を示し、この本体１はドライバーを嵌合させる嵌合部２と、この嵌合部２につづくネジ保持部３とから構成されており、この嵌合部２には、ドライバー８の先端部が嵌合部２の中心軸方向に摺動自在な大きさの嵌合孔７を、本体の後端から略中央部まで本体１の中心軸方向に設け、ネジ保持部３は本体１の略中央部から前端までの一側を、本体１の中心軸方向に直角な断面の略半分近くまで切欠し、当該中心軸方向の切欠面３ａに、ネジ５の頭部及びネジ５の軸の各断面の半分以上を嵌め込む段付把持溝６を設け、この段付把持溝６はネジ５の頭部と軸をそれぞれ受け入れることが可能なように、段付の溝になっており、当該段付把持溝６のネジ５の頭部を受け入れる部分は、上記嵌合部２の嵌合孔７につながっており、ネジ保持部３の前端部には上記段付把持溝６の端面の両側から先端部でネジ５を挟持するための２つの挟持片４が相対して突設されている。
【０００９】
本体１は、ネジ５を挟持しやすいように、ある程度の弾性を有し、材料として安価であるポリエチレン、ポリプロピレン等の弾性合成樹脂から一体成形されている。
【００１０】
本体１のネジ保持部３の前端に設けられた２つの挟持片４は、本体１の中心軸方向と略平行に設けられており、この２つの挟持片４によって、相対して挟み込むようにネジ５の軸を挟持するため、先端に行くほどこの２つの挟持片４の間隔が狭くなるように設けられている。この２つの挟持片４の先端部の間隔は、ネジ５の軸をぴったりと挟み込むため、ネジ５の軸の直径よりも僅かに小さいものとする。また、ネジ５の軸をより挟持しやすくするために、２つの挟持片４のそれぞれの挟み込むネジ５の軸に接する部分に、ネジ５の軸の外形にあわせて、凹部９を設けてもよい。
【００１１】
ネジ保持部３に設けられた段付把持溝６の大きさは、この段付把持溝６にネジ５の頭及びネジ５の軸の一部をはめ込めば、ネジ５全体を固定可能となるように、少なくともネジ５の軸の断面の半分が埋没する大きさ、あるいはネジ５の軸の断面が半分より大きく埋没する大きさとする。また、段付把持溝６は、ネジ５の頭部と軸をそれぞれ受け入れる大径部６aと小径部６ｂとに段を設けて分かれており、大径部６aは上記嵌合部２の嵌合孔７とつながっている。
【００１２】
嵌合部２に設けられている嵌合孔７の大きさは、差し込んだドライバー８の先端が本体１の中心軸方向に前後に摺動可能で、なおかつ本体１とドライバー８が緩い嵌合状態となるように、ドライバー８の軸の外径よりわずかに大きい大きさとする。
【００１３】
ドライバー８によるネジ締めを、本体１を用いておこなうには、まず、ネジ５を本体１のネジ保持部３に設けられている段付把持溝６内及び前端の２つの挟持片４の間に、本体１のネジ保持部３の一端の切欠面３ａからはめ込む必要ある。はめ込みかたとしては、例えば左手で本体１をネジ保持部３に設けられた段付把持溝６が真上にくるように持ち、右手でネジ５を上から水平に押し込んで嵌め込む。この場合、ネジ５の軸の一部をまず本体１の前端の２つの挟持片４の間に引っ掛けてからネジ５の頭を段付把持溝６に押し込んでもよいし、ネジ５の頭を段付把持溝６に引っ掛けてから、ネジ５の軸を段付把持溝６や前端の２つの挟持片４の間に押し込んでもよい。
ネジ５が本体１の段付把持溝６内及び前端の２つの挟持片４の間にしっかり嵌まり込み、本体１とネジ５が一体化したら、本体１の後端の嵌合孔７からドライバー８を、ドライバー８の先端とネジ５の頭部とが本体１の内部で接触するまで差し込む。本体１の内部でネジ５の頭部とドライバー８の先端が接触したら、本体１あるいはドライバー８を回転させ、ネジ５の頭部に設けられた＋・−形の係止溝とドライバー８の先端の係合部を嵌め合わせる。
【００１４】
そしてドライバー８と本体１とが外れないように、ネジ５の軸の先端をやや斜め上向きにして、壁等のネジ孔に差し込んだ後、ドライバー８を右回転させて、ネジ５をネジ孔にネジ込んでいく。この際、本体１もネジ５と一緒に回転する。ネジ締めがある程度進み、ネジ５がネジ孔に固定された段階で、本体１の先端の挟持片４がネジ孔にぶつかる前に、本体１のネジ保持部３の中心軸方向の切欠面３ａが真上方向になっている状態で、本体１のネジ保持部３に設けた段付把持溝６及び前端の挟持片４からネジ５が外れるように、ドライバー８の柄を真下に傾ける。そうすれば、ドライバー８の先端と本体１は緩い嵌合状態にあるため、ネジ５から本体１をドライバー８と一緒に外すことが可能である。また、ネジ５から外した後もドライバー５の先端に本体１は付いたままである。
【００１５】
なお、本体１のネジ保持部３の構造上、本体１のネジ保持部３に設けられた中心軸方向の切欠面３ａが真上方向を向いている状態以外の、切欠面３ａがいずれの方向を向いてる場合においても、ネジ保持部３の切欠面３ａに対し、反対の力が加わるようにドライバー８を斜めに傾ければ、ネジ５から本体１を外すことが可能である。
その後、ドライバー８から本体１をはずし、さらにネジ締めをおこないネジ締めを完了する。上述したように本体１の嵌合部２の構造によって、ドライバー８の先端と本体１は緩く嵌合されているだけなので、たやすくドライバー８から本体１を取り外すことが可能である。
【図面の簡単な説明】
【００１６】
【図１】この考案の実施例の使用状態を示す断面図である。
【図２】この考案の実施例の正面図である。
【図３】この考案の実施例の平面図である。
【図４】この考案の実施例の右側面図である。
【図５】この考案の実施例の横断面図である。
【図６】この考案の実施例の図３におけるＡ−Ａ線断面図である。
【図７】この考案の実施例の縦断面図である。
【図８】この考案の実施例の本体にネジを嵌めた状態の平面図である。
【図９】この考案の実施例の使用状態においてドライバーを傾けた状態を示す断面図である。
【符号の説明】
【００１７】
１        本体                            ２      嵌合部
３      ネジ保持部                        ３ａ    切欠面
４      挟持片                            ５      ネジ
６      段付把持溝
６a     大径部                            ６b     小径部
７      嵌合孔                            ８      ドライバー
９      凹部
【図１】
0003106285.tif 000003
【図２】
0003106285.tif 000004
【図３】
0003106285.tif 000005
【図４】
0003106285.tif 000006
【図５】
0003106285.tif 000007
【図６】
0003106285.tif 000008
【図７】
0003106285.tif 000009
【図８】
0003106285.tif 000010
【図９】
0003106285.tif 000011